(57)【要約】      （修正有）【課題】装着の快適性を向上できるとともに、振動刺激の効果を有する振動式装着リングを提供する。【解決手段】振動モジュール１０と、ラテックスリング２０と、を備える。振動モジュール１０は丸ボール状ケーシングの内部に電気接続した少なくとも一つの電池と、電気回路板と、振動モーターと、ケーシングから露出するスイッチを設ける。ラテックスリング２０はラテックス部材から成形加工されたリング状の装着部２１と、振動モジュールのケーシングを覆っていて、同じく丸ボール状を形成する振動部２２と、を含む。主に丸ボール状の振動部２２と、これに覆われた振動モジュール１０とを合わせて女性のクリトリス部に作用し、体の他の部位への圧迫を避けることができ、装着の快適性を向上できるとともに、より良い振動の刺激効果が得られる。【選択図】図１
0003204354.tif 000002
【実用新案登録請求の範囲】
【請求項１】
振動式装着リングであって、
丸ボール状のケーシングの内部に電気接続した、少なくとも一つの電池と、一つの電気回路板と、振動モーターと、ケーシングから露出するスイッチと、を含む、前記スイッチを電気回路板に電気接続する、振動モジュールと、
ラテックスより成形加工してリング状を形成する装着部と、前記振動モジュールのケーシングを覆っていて、かつ丸ボール状を形成する振動部ラテックスリングと、を備えることを特徴とする、振動式装着リング。
【請求項２】
そのうち、前記振動モーターを揺動自在の態様にその一端に取り付けて、前記電気回路板と枢接して、支点を形成することを特徴とする、請求項１記載の振動式装着リング。
【請求項３】
そのうち、前記振動モジュールを前記ケーシングの内部に前記振動モーターの作用を受けて、前記ケーシングの内部に跳動する少なくとも一つのボール体を設けることを特徴とする、請求項２記載の振動式装着リング。
【請求項４】
そのうち、前記振動モジュールは、前記電気回路板に、少なくとも一つの発光ダイオードと電気接続し、前記ケーシングは透光性部材を丸ボール状に加工仕上げられ、前記ラテックスリングは透光性ラテックス部材を成形加工して仕上げることを特徴とする、請求項３記載の振動式装着リング。
【請求項５】
そのうち、前記ラテックスリングは、前記振動部の一側に開口部を設け、前記開口部の孔径は前記ケーシングの外径より小さいことを特徴とする、請求項３記載の振動式装着リング。
【請求項６】
そのうち、前記振動モジュールは、前記電気回路板に、少なくとも一つの発光ダイオードと電気接続し、前記ケーシングは透光性部材を丸ボール状に加工仕上げられ、前記ラテックスリングは透光性ラテックス部材を成形加工して仕上げていて、かつ前記振動部の一側に開口部を設け、前記開口部の孔径は前記ケーシングの外径より小さいことを特徴とする、請求項３記載の振動式装着リング。
【請求項７】
そのうち、前記振動部の外部に複数の柱状物を敷設することを特徴とする、請求項３記載の振動式装着リング。
【請求項８】
そのうち、前記柱状物は例えば、太い柱状物と、細い柱状物とを交互して分布することを特徴とする、請求項７記載の振動式装着リング。
【請求項９】
そのうち、前記装着部にフック部を取り付けることを特徴とする、請求項３記載の振動式装着リング。
【考案の詳細な説明】
【技術分野】
【０００１】
本考案は振動式装着リングに関し、特に装着の快適性を向上できるとともに、比較的に良い振動刺激の効果を有する振動式装着リングに関する。
【背景技術】
【０００２】
周知のとおり、男女感情の調和には、様々な要因から形成される。さらに、そのうち一番肝心なのは互いの尊重、真心を持って扱うことが必要である。ピロートークのふわふわとした雰囲気も幸せにつなぐことはできるが、しかし、これらを併せて実践できるパートナーは非常に少ない。男性の方が人に言えない苦衷や、または自己中心が強すぎて、ひたすらに性の営みを要求し、相手側女性の感じを全く考えていない。そのうち、女性は満足できないがために、倦怠感を引き起してしまう。
【０００３】
よって、性感の向上を訴え文句とした製品がたくさんに出回っている。その例として、性感を向上できる装着リングによれば、主にラテックスリングを適切に男性性器の頚部に締め付け、係るラテックスリングの任意の位置に装着リングに垂直する突き出し部を設けて、装着リングを男性性器の頚部に装着したときに、係る突き出し部がちょうどに男性性器の上部端に位置し、男性性器が充血した静脈血液の流れ戻しを遅くさせて、持続効果を達成する。
【０００４】
係る突き出し部は男女の性の営みのときに、ちょうどに女性のクリトリス部に押さえていて、適切なタッチとマッサージ効果を提供し、男性が持続できるとともに、女性も満足できるダブル効果を奏する。さらに、係る突き出し部に振動モジュールを内設して、振動モジュールを女性のクリトリスに作用する振動効果を形成し、女性を興奮させて、性愛の愉しみを向上する。
【考案の概要】
【考案が解決しようとする課題】
【０００５】
公知の振動機能を有する振動式装着リングの多くは、係る突き出し部を横向きに配置する丸いチューブ状に設計するほか、振動モジュールについては、振動モーターと、電気回路板と、電池と、スイッチとを長い帯状のケーシング内部に整合し、ケーシング全体を突き出し部に押し込む方式により、振動モジュールを装着リングの突き出し部に取り付ける。しかしながら、この種の構造設計は、その両端部の突き出しは長く、女性のクリトリス部へ確実に予期した振動効果を形成できないばかりでなく、実際の使用には男女とも不快感をもたらしてしまうのである。
【課題を解決するための手段】
【０００６】
そのため、本考案の主な目的は、装着の快適性を向上できるとともに、比較的に良い振動刺激の効果を有する振動式装着リングを提供する。
【０００７】
本考案による振動式装着リングは、丸ボール状のケーシングの内部に電気接続した少なくとも一つの電池と、一つの電気回路と、振動モーターと、係るケーシングから露出するスイッチとを含む、振動モジュールと、ラテックスとを成形加工して、リング状を形成する装着部と、係る振動モジュールのケーシングを覆う同じく丸ボール状を形成する振動部とを含む、ラテックスリングと、を備える。
【０００８】
前述した構造特徴により、本考案の振動式装着リングを適用すれば、ラテックスリングの装着部を男性性器の頸部へ適切に締め付けて置き、男女の性の営みのときに、振動部は振動部によって覆われる振動モジュールとを合わせて、女性のクリトリス部に圧迫するとこによって、適切なタッチマッサージ効果を実現し、振動モジュールの稼動状態において、振動モジュールによって女性のクリトリスに形成する振動効果をもって、女性の興奮感を向上させ、性愛の愉しさを向上させる。特に全体を女性のクリトリス部に作用する振動部と、振動部によって覆われる振動モジュールとも丸ボール状を形成されているため、体の他の部位に圧迫されない、装着の快適性を向上できるほか、比較的に良い振動刺激効果を達成できる。
【０００９】
具体的に言えば、本考案の振動式装着リングは、丸ボール状を形成する振動部と、振動部によって覆われる振動モジュールとを女性のクリトリス部に作用し、体の他の部位の圧迫を避けられ、装着の快適性を向上できるほか、比較的に良い振動刺激効果が得られる。さらに、ボール体が形成する跳動作用または振動モーターから形成する搖動作用を利用し、接触部位に不規則な発振効果を与えることによって、より積極的、頼もしい手段により利用者の興奮感を向上できる。
【図面の簡単な説明】
【００１０】
【図１】本考案による振動式装着リング外観の立体図である。
【図２】本考案による振動式装着リング外観の側視図である。
【図３】本考案による振動式装着リング外観の上視図である。
【図４】本考案の第１実施例による振動式装着リングの構造断面図である。
【図５】本考案の第２実施例による振動式装着リングの構造断面図である。
【図６】本考案の第３実施例による振動式装着リングの構造断面図である。
【図７】本考案の第４実施例による振動式装着リングの構造断面図である。
【図８】本考案の第５実施例による振動式装着リングの構造断面図である。
【図９】本考案の第６実施例による振動式装着リングの構造図である。
【考案を実施するための形態】
【００１１】
以下、添付図面を参照して本考案の実施の形態を詳細に説明する。
【実施例】
【００１２】
本考案は装着の快適性を向上できるとともに、比較的に良い振動刺激の効果を有する振動式装着リングを提供する。図１ないし４図に示すとおり、本考案の振動式装着リングは、おもに振動モジュール１０と、ラテックスリング２０とを備える。そのうち、
【００１３】
係る振動モジュール１０は丸ボール状のケーシング１１の内部に電気接続した少なくとも一つの電池１２と、一つの電気回路板１３と、振動モーター１４と、ケーシング１１から露出するスイッチ１５と、を含む。係るスイッチ１５を電気回路板１３に電気接続し、スイッチ１５から振動モーター１４と電池１２との電気導通を制御できるほか、スイッチ１５を押すごとに電気回路板１３の振動種類が切り替わり、振動モーター１４の振動モジュールと振動周波数の制御ができる。
【００１４】
係るラテックスリング２０はラテックスを成形加工して、リング状を形成する装着部２１と、係る振動モジュール１０のケーシング１１を覆って、同じく丸ボール状を形成する振動部２２とを含む。適用するときに、係る振動モジュール１０はラテックスリング２０の加工プロセスに一体して振動部２２によって覆われても良い。当然ながら、係るラテックスリング２０は例えば図４に示すように、係る振動部２２の一側に開口部２３を設け、係る開口部２３の孔径は係るケーシング１１の外径よりも小さく開け、開口部２３から振動モジュール１０全体を振動部２２の内部に押し込むことができる。
【００１５】
原則として、本考案の振動式装着リングを適用すれば、ラテックスリング２０の装着部２１を男性性器の頸部に適切に締め付けて置き、男女の性の営みのときに、振動部２２は振動部と、振動モジュール１０とを合わせて、女性のクリトリス部に圧迫するとこによって、適切なタッチマッサージ効果を実現し、振動モジュール１０の稼動状態において、振動モジュール１０によって女性のクリトリスに形成する振動効果をもって、女性の興奮感を向上させ、性愛の愉しさを向上させる。
【００１６】
特に全体を女性のクリトリス部に作用する振動部２２と、振動部２２によって覆われる振動モジュール１０とも丸ボール状を形成しているため、体の他の部位に圧迫されない、装着の快適性を向上できるほか、比較的に良い振動刺激効果を達成できる。
【００１７】
図５を参照する。本考案の振動モーター１４を揺動自在の態様により、その一端を電気回路板１３と枢接しして、支点１８を形成し、振動モーター１４より形成する搖動作用によって、接触部位に不規則な発振効果を形成して、支点１８をもって振動モーター１４を電気回路板１３に対して上下に往復して回動させ、繰り返してケーシング１１にぶつかってより強い振動効果を達成し、より積極的、頼もしい手段により利用者の興奮感を向上させる。
【００１８】
もしくは、図６に示すように、支点１８によって振動モーター１４を電気回路板１３に対して水平方向に往復して回動させ、繰り返してケーシング１１にぶつかって、より強い振動効果を達成し、より積極的、頼もしい手段により利用者の興奮感を向上させる。
【００１９】
図７に示すように、本考案において、振動モジュール１０はケーシング１１の内部に、係る振動モーター１４の作用を受けることによって、係るケーシング１１の内部に跳動する少なくとも一つのボール体１６を設け、ボール体１６が形成する跳動作用により、接触部員に不規則な発振効果を形成して、より積極的、頼もしい手段により、利用者の興奮感を向上させる。
【００２０】
本考案の振動式装着リングは、前述した可能な実施構造態様に基づき、振動モジュール１０を電気回路板に、少なくとも一つの発光ダイオードと電気接続し、係るケーシングは透光性部材を丸ボール状に加工仕上げ、ラテックスリングはこれに合わせて、透光性ラテックス部材を成形加工して仕上げることも同じくスイッチ１５を押すごとに電気回路板１３の振動種類が切り替わり、発光ダイオード１７の発光ダイオードを切り替えるなど使用するときの視覚効果を向上できる。
【００２１】
当然ながら、本考案の振動式装着リングは、前述した可能な実施構造態様に基づき、係る振動モジュールは、電気回路板に、少なくとも一つの発光ダイオードと電気接続し、係るケーシングは透光性部材を丸ボール状に加工仕上げられ、係るラテックスリング（２０）もこれに合わせて、透光性ラテックス部材を成形加工して仕上げていて、かつ振動部の一側に開口部を設け、開口部の孔径は前記ケーシングの外径より小さく開けることもできる。
【００２２】
さらに、図８に示すように、本考案の振動式装着リングは前述した各種の可能な実施構造態様において、係る振動部２２の外部は例えば複数の柱状物２４を配置しても良い、それらの柱状物２４は頑丈部材から形成する太い柱状物２４１である。
またはそれらの柱状物２４を柔軟部材から形成する細い柱状物２４２であっても良い。
【００２３】
もしくはそれらの柱状物２４を頑丈部材から形成する太い柱状物２４１と柔軟部材から形成する細い柱状物２４２とを交互に配置する。
それらの太い柱状物２４１柱状物と、細い柱状物２４２とを女性のクリトリスに接触することによって、男性性器の頸部と交互に作用して、振動を適切にタッチする刺激効果を形成し、男女双方の興奮感を向上し、性愛の愉しみを向上できる。
【００２４】
さらに、図９に示すように、係る装着部２１にフック部２５を設けて、本考案を係るフック部２５によって、耳部に掛けて、アクセサリとして使用し、係るラテックスリング（２０）に彩りを付けて、アクセサリにきらびやか美しい効果を達成する。
【００２５】
従来の公知構造に比べると、本考案で開示する振動式装着リングは、丸ボール状を形成する振動部と、振動部によって覆われる振動モジュールとを女性のクリトリス部に作用し、体の他の部位の圧迫を避けられ、装着の快適性を向上できるほか、比較的に良い振動刺激効果が得られる。さらに、ボール体が形成する跳動作用または振動モーターから形成する搖動作用を利用し、接触部位に不規則な発振効果を与えることによって、より積極的、頼もしい手段により利用者の興奮感を向上できる。
【００２６】
前述をまとめると、本考案によって、より良い、かつ実施可能な振動リングを提供されている。本考案の技術内容及び技術の特徴は以上に説明したとおりである。ただし、この種の技術を熟知するものは、なお本考案の開示により、本考案の考案精神に基づいた、様々な交換と修飾が可能である。
【００２７】
よって、本考案の範疇は実施例に開示されたものに限ることなく、本考案に基づいた交換と修飾は、なお以下の実用新案登録請求範囲に含まれるものとする。
【符号の説明】
【００２８】
１０    振動モジュール
１１    ケーシング
１２    電池
１３    電気回路基板
１４    振動モーター
１５    スイッチ
１６    ボール体
１７    発光ダイオード
１８    支点
２０    ラテックスリング
２１    装着部
２２    振動部
２３    開口部
２４    柱状物
２４１  太い柱状物
２４２  細い柱状物
２５    フック部
【図１】
0003204354.tif 000003
【図２】
0003204354.tif 000004
【図３】
0003204354.tif 000005
【図４】
0003204354.tif 000006
【図５】
0003204354.tif 000007
【図６】
0003204354.tif 000008
【図７】
0003204354.tif 000009
【図８】
0003204354.tif 000010
【図９】
0003204354.tif 000011
【手続補正書】
【提出日】平成28年3月25日(2016.3.25)
【手続補正１】
【補正対象書類名】実用新案登録請求の範囲
【補正対象項目名】全文
【補正方法】変更
【補正の内容】
【実用新案登録請求の範囲】
【請求項１】
振動式装着リングであって、
丸ボール状のケーシングの内部に電気接続した、少なくとも一つの電池と、一つの電気回路板と、振動モーターと、ケーシングから露出するスイッチと、を含む、前記スイッチを電気回路板に電気接続する、振動モジュールと、
ラテックスより成形加工してリング状を形成する装着部と、前記振動モジュールのケーシングを覆っていて、かつ丸ボール状を形成する振動部ラテックスリングと、を備えることを特徴とする、振動式装着リング。
【請求項２】
前記振動モーターの一端を揺動自在の態様に前記電気回路板に取り付けて、支点を形成することを特徴とする、請求項１記載の振動式装着リング。
【請求項３】
前記振動モジュールを前記ケーシングの内部に前記振動モーターの作用を受けて、前記ケーシングの内部に跳動する少なくとも一つのボール体を設けることを特徴とする、請求項２記載の振動式装着リング。
【請求項４】
前記振動モジュールは、前記電気回路板に、少なくとも一つの発光ダイオードと電気接続し、前記ケーシングは透光性部材を丸ボール状に加工仕上げられ、前記ラテックスリングは透光性ラテックス部材を成形加工して仕上げることを特徴とする、請求項３記載の振動式装着リング。
【請求項５】
前記ラテックスリングは、前記振動部の一側に開口部を設け、前記開口部の孔径は前記ケーシングの外径より小さいことを特徴とする、請求項３記載の振動式装着リング。
【請求項６】
前記振動モジュールは、前記電気回路板に、少なくとも一つの発光ダイオードと電気接続し、前記ケーシングは透光性部材を丸ボール状に加工仕上げられ、前記ラテックスリングは透光性ラテックス部材を成形加工して仕上げていて、かつ前記振動部の一側に開口部を設け、前記開口部の孔径は前記ケーシングの外径より小さいことを特徴とする、請求項３記載の振動式装着リング。
【請求項７】
前記振動部の外部に複数の柱状物を敷設することを特徴とする、請求項３記載の振動式装着リング。
【請求項８】
前記柱状物は、太い柱状物と、細い柱状物とを交互して分布することを特徴とする、請求項７記載の振動式装着リング。
【請求項９】
前記装着部にフック部を取り付けることを特徴とする、請求項３記載の振動式装着リング。